(57)【要約】【課題】  ボーンを弾性線材等からなるボーン本体と、当該ボーン本体を被覆しかつ伸縮性を有する被覆部材とから構成することにより、ボーンとしての人体の補整機能や補正機能等を発揮し得るのは勿論のこと、体を動かした場合であっても、弾性線材が人体の所定の位置からずれたり、人体を圧迫したりして、人体に違和感や不快感を与えることがなく、着用感に優れた新規な伸びる部分を持ったボーンを提供することを課題とする。【解決手段】  伸びる部分を持ったボーンにおいて、弾性線材等からなるボーン本体と、前記ボーン本体を被覆しかつ伸縮性を有する被覆部材とを備えるように構成して課題を解決する。【選択図】  図１
2005089879.tif 000002
【特許請求の範囲】
【請求項１】
伸びる部分を持ったボーンにおいて、弾性線材等からなるボーン本体と、前記ボーン本体を被覆しかつ伸縮性を有する被覆部材とを備えたことを特徴とする伸びる部分を持ったボーン。
【請求項２】
前記伸びる部分を持ったボーンは、ダブルボーン形状に形成され、当該ダブルボーン形状に形成されたボーンの中心部を、伸縮性を有する被覆部材のみにて構成したことを特徴とする請求項１に記載の伸びる部分を持ったボーン。
【請求項３】
伸びる部分を持ったボーンにおいて、製品の伸張方向に対比する二つ以上のボーンを、当該伸張を助ける又は強化する目的で伸縮性を有する被覆部材によって連結したことを特徴とする伸びる部分を持ったボーン。
【請求項４】
前記被覆部材は、伸縮性を有する糸を編む又は織ることによって、中空の円筒形状に形成されていることを特徴とする請求項１又は２に記載の伸びる部分を持ったボーン。
【請求項５】
前記伸びる部分を持ったボーンは、被覆部材の少なくとも一端部が、ボーン本体よりも長く形成され、当該ボーン本体よりも長く形成された被覆部材が、伸びる部分を構成することを特徴とする請求項１乃至４のいずれかに記載された伸びる部分を持ったボーン。
【請求項６】
前記ボーン本体は、製品のモールド成形と同時に、所定の形状に成形されることを特徴とする請求項１乃至５のいずれかに記載された伸びる部分を持ったボーン。
【請求項７】
前記被覆部材は、その幅方向の少なくとも一端部に、縫い止め又は接着等により取り付ける取り付け部を有していることを特徴とする請求項１乃至６のいずれかに記載された伸びる部分を持ったボーン。
【発明の詳細な説明】
【技術分野】
【０００１】
この発明は、ブラジャー、ウエストニッパー、ガードル（特に、ハイウエストタイプ）、スリーインワン、オールインワン、その他ファンデーションガーメント全般や、ファンデーション機能を合成又は内蔵させる水着等のスポーツウエア並びにアウターウエア、更には障害者並びに老人介護等のユニバーサル衣料に適用可能な伸びる部分を持ったボーンに関するものである。
【背景技術】
【０００２】
従来、この種のブラジャーやウエストニッパー等のファンデーションガーメント全般や、ファンデーション機能を合成又は内蔵させる水着等のスポーツウエアなどに用いられるボーンとしては、基本的には断面丸形状の、あるいは、断面偏平形状の弾性線材を半円形状に湾曲させたものが使用されている。
【０００３】
上記ボーンの基本的な役割は、(1)人体を美的概念の下に理想的な体型に向けて補整する、又は障害等によって変形した人体を補正する等の目的によってデザインされた衣料にセットされ、補整又は補正効果をより高めるための芯体構造あるいは骨体構造としての役割、(2)女性のバスト等を美的概念の下に理想的な体型に向けてバストアップしたり固定したりする役割、(3)上記(1)や(2)を目的とする衣料の形状を維持安定させる役割、(4)障害者や老人に対する安全の確保や防御を援護する役割などである。
【発明の開示】
【発明が解決しようとする課題】
【０００４】
しかし、上記従来技術の場合には、次のような問題点を有している。すなわち、上記従来のボーンの場合には、基本的には断面丸形状の、あるいは、断面偏平形状の弾性線材を半円形状に湾曲させたものが使用されており、必要に応じて、当該弾性線材ボーンの場合には、基本的には断面丸形状の、あるいは、断面偏平形状の弾性線材を半円形状に湾曲させたものが使用されており、必要に応じて、当該弾性線材を合成樹脂等によって被覆して使用されているが、この弾性線材は、初期的には、例えば、女性のバスト等を所望の形状に維持乃至固定することが可能である。
【０００５】
しかし、上記従来のボーンの場合には、弾性線材そのものや、当該弾性線材を合成樹脂によって被覆して構成されているため、人体の動き、例えば、腕を上げる動作や、体をひねる動作、あるいは曲げる動作等に追随することができず、体を動かした際に、弾性線材が人体の所定の位置からずれたり、人体を圧迫したりして、人体に違和感や不快感を与えるという問題点を有していた。
【０００６】
また、上記従来のボーンの場合には、その機能を高めれば高める程、弾性線材をハード化する方向に向かうため、体を動かした際に、弾性線材が人体の所定の位置からずれたり、人体を圧迫したりして、人体に違和感や不快感を与えるという問題点が顕著に発生していた。
【０００７】
その結果、上記従来のボーンの場合には、当該ボーンに求められる(1)人体を美的概念の下に理想的な体型に向けて補整する、又は障害等によって変形した人体を補正する等の目的によってデザインされた衣料にセットされ、補整又は補正効果をより高めるための芯体構造あるいは骨体構造としての役割、(2)女性のバスト等を美的概念の下に理想的な体型に向けてバストアップしたり固定したりする役割、(3)上記(1)や(2)を目的とする衣料の形状を維持安定させる役割、(4)障害者や老人に対する安全の確保や防御を援護する役割などを、十分に発揮することができないという問題点を有していた。
【０００８】
そこで、この発明は、上記従来技術の問題点を解決するためになされたものであり、その目的とするところは、ボーンを弾性線材等からなるボーン本体と、当該ボーン本体を被覆しかつ伸縮性を有する被覆部材とから構成することにより、ボーンとしての人体の補整機能や補正機能等を発揮し得るのは勿論のこと、体を動かした場合であっても、弾性線材が人体の所定の位置からずれたり、人体を圧迫したりして、人体に違和感や不快感を与えることがなく、着用感に優れた新規な伸びる部分を持ったボーンを提供することにある。
【課題を解決するための手段】
【０００９】
上記目的を達成するため、請求項１に記載された発明は、伸びる部分を持ったボーンにおいて、弾性線材等からなるボーン本体と、前記ボーン本体を被覆しかつ伸縮性を有する被覆部材とを備えたことを特徴とする伸びる部分を持ったボーンである。
【００１０】
また、請求項２に記載された発明は、前記伸びる部分を持ったボーンが、ダブルボーン形状に形成され、当該ダブルボーン形状に形成されたボーンの中心部を、伸縮性を有する被覆部材のみにて構成したことを特徴とする請求項１に記載の伸びる部分を持ったボーンである。
【００１１】
さらに、請求項３に記載された発明は、前記被覆部材が、伸縮性を有する糸を編む又は織ることによって、中空の円筒形状に形成されていることを特徴とする請求項１又は２に記載の伸びる部分を持ったボーンである。
【００１２】
又、請求項４に記載された発明は、前記伸びる部分を持ったボーンは、被覆部材の少なくとも一端部が、ボーン本体よりも長く形成され、当該ボーン本体よりも長く形成された被覆部材が、伸びる部分を構成することを特徴とする請求項１乃至３のいずれかに記載された伸びる部分を持ったボーンである。
【００１３】
更に、請求項５に記載された発明は、前記ボーン本体は、製品のモールド成形と同時に、所定の形状に成形されることを特徴とする請求項１乃至４のいずれかに記載された伸びる部分を持ったボーンである。
【００１４】
また、請求項６に記載された発明は、前記被覆部材は、その幅方向の少なくとも一端部に、縫い止め又は接着等により取り付ける取り付け部を有していることを特徴とする請求項１乃至５のいずれかに記載された伸びる部分を持ったボーンである。
【００１５】
さらに、請求項７に記載された発明は、前記被覆部材は、その幅方向の少なくとも一端部に、縫い止め又は接着等により取り付ける取り付け部を有していることを特徴とする請求項１乃至６のいずれかに記載された伸びる部分を持ったボーンである。
【発明の効果】
【００１６】
この発明によれば、ボーンを弾性線材等からなるボーン本体と、当該ボーン本体を被覆しかつ伸縮性を有する被覆部材とから構成することにより、ボーンとしての人体の補整機能や補正機能等を発揮し得るのは勿論のこと、体を動かした場合であっても、弾性線材が人体の所定の位置からずれたり、人体を圧迫したりして、人体に違和感や不快感を与えることがなく、着用感に優れた新規な伸びる部分を持ったボーンを提供することができる。
【発明を実施するための最良の形態】
【００１７】
以下に、この発明の実施の形態について図面を参照して説明する。
実施の形態１
図２はこの発明の実施の形態１に係る伸びる部分を持ったボーンを適用し得る女性用衣料としてのブラジャーを示すものである。尚、図２は女性用衣料としてのブラジャーとしての一般的な形状を示したものであり、ブラジャーの形状として、これに限定されないことは勿論である。
【００１８】
図２において、１は女性用衣料としてのブラジャーを示すものであり、このブラジャー１は、女性のバストをそれぞれ覆う左右のカップ部２、３を備えている。これらの左右のカップ部２、３は、３次元モールド成形加工等によって所定の膨出形状に形成されている。また、上記ブラジャー１は、左右のカップ部２、３と、女性の胸部の側面から背面側に位置する側布４、５が、一体的に形成されている。なお、上記左右のカップ部２、３と、女性の体の側面から背面側に位置する側布４、５とは、別体として構成されていても良いことは勿論である。これら左右の側布４、５の先端部には、フックやアイ等からなる図示しない係止具が、縫着等の手段によって取り付けられている。また、上記左右のカップ部２、３の三角形状に形成された上端部には、女性の肩に掛けるショルダーコード６、７がそれぞれ装着されている。なお、図２は、本発明を適用可能な一般的なブラジャーの形状を示すものであり、本発明を適用することにより、カップ部の形状等は、適宜変わってくるものである。
【００１９】
ところで、この実施の形態に係る伸びる部分を持ったボーンは、伸びる部分を持ったボーンにおいて、弾性線材等からなるボーン本体と、前記ボーン本体を被覆しかつ伸縮性を有する被覆部材とを備えるように構成されている。
【００２０】
また、この実施の形態では、例えば、前記被覆部材が、伸縮性を有する糸を編む又は織ることによって、中空の円筒形状に形成されている。
【００２１】
さらに、この実施の形態では、前記伸びる部分を持ったボーンは、被覆部材の少なくとも一端部が、ボーン本体よりも長く形成され、当該ボーン本体よりも長く形成された被覆部材が、伸びる部分を構成するようになっている。
【００２２】
すなわち、この実施の形態に係る伸びる部分を持ったボーン１０は、図１（Ａ）に示すように、熱硬化性樹脂等の弾性線材からなるボーン本体１１を芯構造とし、このボーン本体１１を伸縮性（ストレッチ性）を有するシリコンゴムやラテックス等の合成樹脂からなる被覆部材１２によって一体的に被覆して構成されている。なお、ボーン本体１１としては、合成樹脂からなるものに限らず、金属等からなるものを用いても良い。また、上記被覆部材１２は、その両端部１２ａ又は一端部が、ボーン本体１１よりも長く形成されており、当該ボーン本体１１よりも長く形成された被覆部材１２の両端部１２ａが、伸びる部分を構成するようになっている。上記ボーン１０は、主に、ボーン本体１１が骨体として機能し、ストレッチ性を有する被覆部材１２が、筋肉層として機能するものであるが、ボーン本体１１自身も弾性を有していることが望ましい。なお、上記ボーン本体１１は、被覆部材１２中に埋設されており、当該被覆部材１２と一体化されている。但し、上記ボーン本体１１は、必ずしも被覆部材１２と一体化されている必要はなく、互いに分離されていても良い。
【００２３】
上記ボーン本体１１は、主に、補正機能を司るものであり、基本的に、バネ性のある剛性を有することが求められるが、このボーン本体１１を被覆する被覆部材１２との極度の違和感を生じさせると、一体性に欠け切断等の虞れがあるため、ボーン本体１１と被覆部材１２との間に、両者の中間的な剛性を有する中間層を介在させるなど、切断等の弱点を生じさせない考慮が望ましい。
【００２４】
また、この実施の形態のごとく、伸びる部分を持ったボーン１０が、図３に示すように、ブラジャー１のカップ部２、３の基底に配設される基底ボーンのように、曲線形状等に設計される場合には、ボーン本体１１を必要形状に先に成形した上で、被覆部材１２の成形を加えるのが望ましい。こうすることによって、伸びる部分を持ったボーン１０を形成した後に湾曲させた場合のように、ボーン１０に残留応力が発生するのを防止することができる。
【００２５】
図１（Ｂ）〜（Ｅ）は上記伸びる部分を持ったボーンの他の例をそれぞれ示すものである。
【００２６】
図１（Ｂ）に示すボーン１０は、被覆部材１２を丸線状又は平線状の中空部１３を有する形状に形成し、当該被覆部材１２の丸線状又は平線状の中空部１３に、丸線状又は平線状のボーン本体１１を挿入して構成したものである。なお、ボーン本体１１は、上記実施の形態と同様に、被覆部材１２と一体化させても良い。また、このボーン１０は、被覆部材１２の幅方向に沿って、丸線状又は平線状の中空部１３を複数本互いに平行に設け、これら複数本の中空部１３にそれぞれ丸線状又は平線状のボーン本体１１を挿入するように構成しても良い。
【００２７】
この図１（Ｂ）に示すボーン１０は、直線形状のボーンデザインに適応しやすい。
【００２８】
また、図１（Ｃ）に示すボーン１０は、被覆部材１２をストレッチ性樹脂からなるチューブ状、又はストレッチ繊維糸による中空編み乃至中空織りからなる円筒形状に形成し、当該被覆部材１２の中空部１３に、断面円形状又は断面偏平形状のボーン本体１１を挿入して構成したものである。このボーン１０は、ストレッチ繊維により密度を高め、ボーン本体１１の露出をカバーする中空体を作製し、当該中空体の内部１３にボーン本体１１を挿入したものである。このように、ストレッチ繊維糸による中空体の構成は、交編又は二重編み等により強化糸を編成してボーンサイドを強化することにより、被覆部材１２が切断される虞れ等がなく、剛性が高いボーン本体１１にも特に適している。
【００２９】
さらに、図１（Ｄ）に示すボーン１０は、被覆部材１２をストレッチ繊維糸による中空編み乃至中空織りからなる円筒形状に形成するとともに、当該被覆部材１２の幅方向の片側又は両側に取り付け代１４を一体的に形成し、当該被覆部材１２の中空部１３に、断面円形状又は断面偏平形状のボーン本体１１を挿入して構成したものである。なお、ボーン１０が使用される製品本体が、接着方式等によって製造される場合には、図１（Ｃ）に示す実施の形態と同様に、被覆部材１２をストレッチ性樹脂からなるチューブ状に形成しても良い。
【００３０】
この図１（Ｄ）に示すボーン１０は、図１（Ｃ）に示すボーン１０を基本とするが、当該中空体からなる被覆部材１２に、取り付け代１４を一体的に形成することによって、製品本体に縫い止め（又は接着）を容易としたものである。
【００３１】
又、図１（Ｅ）に示すボーン１０’は、図１（Ａ）乃至図１（Ｄ）に示すボーン１０を基本構成とし、当該ボーン１０をさらに被覆するストレッチ性繊維糸による中空体状のカバー体１５を、別途設けるように構成したものである。このカバー体１５は、ボーン１０を製品本体に一体化させるために使用され、装飾性（基本は内部構造であるボーン１０にて役割を果たしており、当該カバー体１５により製品としての選択性を広めることができる）や、機能性（補整機能乃至補正機能を司るボーン本体１１、並びに伸縮性を有する被覆部材１２に、プラスさせる機能として、吸湿性等の人体への衛生的運動性を高める）を発揮させるものである。そのため、上記カバー体１５は、刺繍を施したものや、綿素材など、種々のものが使用される。
【００３２】
また、伸びる部分を持ったボーン１０のボーン本体１１の基本的な機能としては、図４（Ａ）〜（Ｃ）に示すように、ａ）ブラジャーのバストに使用される機能、具体的には、略Ｕ字形状に形成された両端部のバネ性（外角開放によるバネ性）を利用して、ブラジャーのチェスト部の安定化、バストアップ機能、又はブラジャーのズレ下がりを防止する等の機能、ｂ）ウエストニッパー等のレングス方向に使用して、製品の捲くれを防止し、結果として腹部等を押さえ込むなど前後に対するサポート機能（前後に対するバネ性）、ｃ）サポーター等に使用して、脚部等の歩行を助ける横方向に対するバネ性（左右に対するバネ性）としての機能、ｄ）その他複合性のあるバネ性等をデザインし、その弾性復元力を使用して、人体の補正や運動を助ける機能などが挙げられる。
【００３３】
この実施の形態では、伸びる部分を持ったボーン１０そのものの機能として、例えば、図５に示すように、バストを吊るとともに引き上げる役割を果たしている。ブラジャー１としてのファンデーション機能の役割を担うボーン本体１１に、伸縮性を有する被覆部材１２を設けることにより、当該伸縮性を有する被覆部材１２によって、バストを吊ると同時に上腕運動に対応するフレキシブル性を高めることができる。上腕運動時の伸張に同調するために、被覆部材１２には、ショルダーコード６、７に極力連動し、伸張を吸収する必要性があることから、極力製品のズレに同化しない独立化された設計が望ましい。
【００３４】
すなわち、この実施の形態では、図３に示すように、製品本体としてのブラジャー１又は裏地に、伸びる部分を持ったボーン１０を縫い止めするか、又はコーティング等によって装着するように構成されている。その際、上記伸びる部分を持ったボーン１０は、被覆部材１２の幅方向の両端部又は一端部が、製品本体としてのブラジャー１又は裏地に、その長手方向の全長にわたって縫い止めするか接着される。
【００３５】
また、上記伸びる部分を持ったボーン１０は、図６に示すように、その両端部１０ａのみを、製品本体としてのブラジャー１の上縁に縫い止め等し、その中間部をフリーとするように構成しても良い。その際、上記伸びる部分を持ったボーン１０は、パット体８の下端縁に縫い止めするのが望ましい。こうすることによって、ブラジャー１のパット体８のみを、伸びる部分を持ったボーン１０によって吊った構造とすることができ、上腕の運動時の伸張に、伸びる部分を持ったボーン１０が伸張して、ショルダーコード６、７に極力連動させることができ、伸張を吸収することが可能となり、製品本体としてのブラジャー１のずれや圧迫等を防止することができる。
【００３６】
このように、上記実施の形態では、ボーン１０を弾性線材等からなるボーン本体１１と、当該ボーン本体１１を被覆しかつ伸縮性を有する被覆部材１２とから構成することにより、ボーン１０としての人体の補整機能や補正機能等を発揮し得るのは勿論のこと、体を動かした場合であっても、弾性線材が人体の所定の位置からずれたり、人体を圧迫したりして、人体に違和感や不快感を与えることがなく、着用感に優れたものとなっている。
【００３７】
実施の形態２
図７はこの発明の実施の形態２を示すものであり、前記実施の形態と同一の部分には同一の符号を付して説明すると、この実施の形態２では、伸びる部分を持ったボーンが、ダブルボーン形状に形成され、当該ダブルボーン形状に形成されたボーンの中心部を、伸縮性を有する被覆部材のみにて構成されている。
【００３８】
すなわち、この実施の形態２では、伸びる部分を持ったボーン１０の機能として、図８に示すように、左右のバストを引き寄せる役割を果たしている。ファンデーション機能としてのバストを支えるボーン本体１１と、被覆部材１２の伸張力を利用して、バストを引き寄せる力に転換させるものである。着用時に、バストの中心部が伸張するデザインとし、結果として、被覆部材１２が収縮する力を、バストを引き寄せる力に転換させている。そのため、ブラジャー１のデザインは、中心部に位置するボーン１０の動きを規制しない、左右のカップ部２、３が独立性を有するデザインが望ましいが、図７に示すように、中心部を伸びる部分を持ったボーン１０の被覆部材１２ｂのみによって構成し、左右のカップ部２、３を一体化しても良い。
【００３９】
つまり、この伸びる部分を持ったボーン１０は、図１０に示すように、左右のカップ部２、３に対応した部分が一体的に構成された、ダブルボーン形状となっており、左のカップ部２に対応した湾曲部分と、右のカップ部２に対応した湾曲部分とが連続して形成されている。上記伸びる部分を持ったボーン１０は、図１０に示すように、左右のカップ部２、３の中央に位置する部分が、被覆部材１２のみによって構成されているとともに、左右のカップ部２、３の湾曲に沿って湾曲したボーン本体１１が設けられ、左右の両端部は、やはり、被覆部材１２のみによって構成されている。
【００４０】
そして、この伸びる部分を持ったボーン１０は、図９に示すように、左右のカップ部２、３の間に位置する被覆部材１２のみがフリーな状態で、他の部分は、ブラジャー１の左右のカップ部２、３の内面に縫い止めされている。
【００４１】
このように、上記実施の形態２では、伸びる部分を持ったボーン１０の中央部に位置する被覆部材１２ｂが、左右のカップ部２、３を引き寄せる機能を発揮するとともに、当該ボーン１０のボーン本体１１も、左右のカップ部２、３の両端部を中央に引き寄せる機能を果たすようになっている。また、伸びる部分を持ったボーン１０の両端部に位置する被覆部材１２は、前記実施の形態１と同様に、左右のカップ部２、３を吊る機能をも果たしている。
【００４２】
その他の構成及び作用は、前記実施の形態１と同様であるので、その説明を省略する。
【００４３】
実施の形態３
図１１はこの発明の実施の形態３を示すものであり、前記実施の形態と同一の部分には同一の符号を付して説明すると、この実施の形態３では、バストを吊り上げる機能を更に高めるように構成したものである。
【００４４】
すなわち、この実施の形態３では、伸びる部分を持ったボーン１０の機能として、図１２に示すように、左右のバストをリストアップさせる役割を更に高めている。この伸びる部分を持ったボーン１０は、図１１及び図１３に示すように、左右のカップ部２、３に対応した部分が、当該左右のカップ部２、３の周囲を個別に取り囲んで、互いに平行に接合された両端部がショルダーコードを兼ねるか、又はショルダーコード６、７と一体的に連結されるように構成されている。
【００４５】
このように、伸びる部分を持ったボーン１０のボーン本体１が、ボーン本来の役割を果たし、伸縮性を有する被覆部材１２を、ショルダーコード６、７と連動させることにより、アップリフト効果をより高めるようになっている。
【００４６】
上記伸びる部分を持ったボーン１０は、図１３に示すように、左右のカップ部２、３の表面に取り付けられて、製品としてのブラジャー１のデザインを兼ねており、その被覆部材１２の内周縁が左右のカップ部２、３の表面に縫い止められている。
【００４７】
この実施の形態３では、伸びる部分を持ったボーン１０として、例えば、図１（Ｅ）に示すように、カバー体１５を備えたものを使用し、カバー体１５を以って製品としてのブラジャー１に縫い止めするように構成しても良い。
【００４８】
このように、上記実施の形態３では、伸びる部分を持ったボーン１０によって、バストを引き上げる効果をより一層発揮させることができる。
【００４９】
その他の構成及び作用は、前記実施の形態１と同様であるので、その説明を省略する。
【００５０】
実施の形態４
図１４はこの発明の実施の形態４を示すものであり、前記実施の形態と同一の部分には同一の符号を付して説明すると、この実施の形態４では、バストを吊り上げる機能を更に高めるように構成したものである。
【００５１】
すなわち、この実施の形態４では、伸びる部分を持ったボーン１０の機能として、図１６に示すように、ブラジャー１のデザインをあまり大きく変更することなく、左右のバストを吊り上げる役割を高めている。この伸びる部分を持ったボーン１０は、図１４乃至図１６に示すように、左右のカップ部２、３に対応した部分が、当該左右のカップ部２、３の内周端から、カップ部２、３の下端縁、及びカップ部２、３の外周端を個別に取り囲んで、その一端部がショルダーコードを兼ねるか、又はショルダーコード６、７と一体的に連結されるように構成されている。
【００５２】
上記伸びる部分を持ったボーン１０は、図１７に示すように、略Ｊ字形状に形成され、左右のカップ部２、３の表面に取り付けられて、製品としてのブラジャー１のデザインを兼ねており、その被覆部材１２の外周縁に設けられた取り付け部１４を介して、図１４（ｂ）に示すように、左右のカップ部２、３の表面に縫い止められている。
更６に説明すると、図１４（ａ）及び図１８（ａ）（ｂ）において、サイドパネルからショルダーコードに掛けての身頃部２１は、その外側の端縁２２がバストカップ部２に縫い止めされているが、その内側の端縁２３は、その内側の先端までがバストカップ部２に縫い止めされておらず、フリーな状態となっている。そして、伸びる部分を持ったボーン１０の内側の端縁２３は、図１８（ｃ）（ｄ）に示すように、バストカップ部２と身頃部２１との切替え線となっている。
【００５３】
その他の構成及び作用は、前記実施の形態１と同様であるので、その説明を省略する。
【００５４】
実施の形態５
この実施の形態５では、ボーン本体は、製品のモールド成形と同時に、所定の形状に成形されるように構成したものである。
【００５５】
すなわち、この実施の形態５では、ブラジャー１の左右のカップ部２、３を、三次元モールド成形する際に、伸びる部分を持ったボーン１０を、先に製品としてのブラジャー１の表地２３と裏地２４との間にセットし、加熱加圧することによって、ブラジャー１の表地２３及び裏地２４とともに、熱硬化性樹脂ボーン１０を所定の形状に３次元モールド成形するようになっている。
【００５６】
このように、上記実施の形態では、伸びる部分を持ったボーン１０として、二重構造の身頃を有する製品において、表地２３と裏地２４との間に、ボーン１０をサンドウィッチ化することにより、内蔵化するように構成したものである。そして、製品の身頃を表裏二枚構成にしたり、裏地に当て布をする等の構成とした場合に、二枚の生地をラミネーティングする工程にて、当該ボーン１０をサンドウィッチ化させるようになっている。
【００５７】
その他の構成及び作用は、前記実施の形態１と同様であるので、その説明を省略する。
【００５８】
実施の形態６
図１９はこの発明の実施の形態６を示すものであり、前記実施の形態と同一の部分には同一の符号を付して説明すると、この実施の形態６では、オールインワン等のファンデーションガーメントにおいて、伸びる部分を持ったボーンが装飾性と調節機能とを兼ねるように構成したものである。
【００５９】
すなわち、この実施の形態６では、図１９に示すように、オールインワン等のファンデーションガーメント３０において、左右のカップ部２、３の下端縁に、伸びる部分を持ったボーン１０を装着し、当該伸びる部分を持ったボーン１０の被覆部材１２のみを、ファンデーションガーメント３０の表地３１に設けた穴からなるボーラー部３２を介して、表地３１の表面側に挿通し、当該表面側に挿通された被覆部材１２をリボン状に縛ることにより、左右のカップ部２、３の位置を調節することが可能となっている。
【００６０】
なお、図２０は、ファンデーションガーメント３０としてのブラジャーに適用した状態を示すものである。なお、ボーン１０としては、例えば、図２０（Ｂ）に示すようなものが用いられる。
【００６１】
その際、伸びる部分を持ったボーン１０は、図２０（ｂ）に示すように、接着等の手段で、ファンデーションガーメント３０に装着するように構成しても良い。
【００６２】
図２１はこの発明の他の実施の形態を示すものである。
【００６３】
図２１（Ａ）（Ｂ）は、製品の裏地と一体的又は独立的にブラジャー１部を構成したものであり、当該ブラジャー１部のカップ部２、３を幅の広いリボン状に縁取る部材として、伸びる部分を持ったボーン１０が用いられている。図２１（Ｂ）において、バストカップ３３は、当該カップ３３自体が単体であっても良いし、カップ体３３が裏身頃に構成されていてもよく、伸びる部分を持った幅の広いボーン１０は、その下端縁にボーンが挿入されているとともに、バストカップ３３とは別布に構成され、輪郭部のみがバストカップ３３に縫い止めされている。なお、図２１（Ｂ）の３４は、リボン形状に形成され、ショルダーの調節部を兼ねる部材である。
【００６４】
また、図２１（Ｃ）は、図１１に示す実施の形態の変形例であり、ストレッチ性繊維による中空編みからなる被覆部材１２を有するボーン１０を、製品に縫い止めて一体化したものである。
【００６５】
さらに、図２１（Ｄ）は、図２０（Ａ）（Ｂ）に示す実施の形態の変形例であり、ストレッチ性シリコン樹脂等のコーティング、又はストレッチ性繊維による中空編みからなる被覆部材１２を、製品に接着又は縫い止めて一体化したものである。
【００６６】
図２２はこの発明の更に他の実施の形態を示すものである。
【００６７】
図２２（Ａ）は、伸びる部分を持ったボーン１０として、樹脂合成トリミング調のボーンを用いて、ブラジャー１のカップ部２、３の縁取りとして装飾を兼ねたものである。また、左右のカップ部２、３の中央部に、伸びる部分を持ったボーン１０の被覆部材１２をＸ字形状に配置して、バストの引き寄せ効果を発揮させている。
【００６８】
また、図２２（Ｃ）は、ドレス又は水着等の衣料４０に適用したものであり、胸元あるいは背中を、平行又はクロス状に配置された伸びる部分を持ったボーン１０の被覆部材１２によって連結し、装飾性と伸縮性を兼ねたものである。
【００６９】
さらに、図２２（Ｄ）（Ｅ）は、図４（Ｃ）に示すボーン１０を、サポーター５０や、ガードル６０に適用したものである。なお、ボーン１０は、表面側に設けても良いし、裏面側又は中間層に設けても良い。
【００７０】
実施の形態７
図２３はこの発明の実施の形態７を示すものであり、前記実施の形態と同一の部分には同一の符号を付して説明すると、この実施の形態７は、伸びる部分を持ったボーンにおいて、製品の伸張方向に対比する二つ以上のボーンを、当該伸張を助ける又は強化する目的で伸縮性を有する被覆部材によって連結するように構成されている。
【００７１】
すなわち、この実施の形態７は、図２３に示すように、ファンデーションガーメントとして、ウエストニッパー７０に適用したものであり、このウエストニッパー７０は、着用時の伸張方向と直交する方向（縦方向）に複数のボーンが配置されており、これらのボーン１１が、伸張を助ける又は強化する目的で伸縮性を有する被覆部材１２によって連結されている。
【図面の簡単な説明】
【００７２】
【図１】図１はこの発明の実施の形態１に係る伸びる部分を持ったボーンをそれぞれ示す構成図である。
【図２】図２はこの発明の実施の形態１に係る伸びる部分を持ったボーンを適用し得るブラジャーを示す構成図である。
【図３】図３はこの発明の実施の形態１に係る伸びる部分を持ったボーンを適用したブラジャーを示す要部構成図である。
【図４】図４はこの発明の実施の形態１に係る伸びる部分を持ったボーンの機能をそれぞれ示す説明図である。
【図５】図５はこの発明の実施の形態１に係る伸びる部分を持ったボーンの機能を示す説明図である。
【図６】図６はこの発明の実施の形態１に係る伸びる部分を持ったボーンを適用したブラジャーを示す要部構成図である。
【図７】図７はこの発明の実施の形態２に係る伸びる部分を持ったボーンを適用したブラジャーを示す構成図である。
【図８】図８はこの発明の実施の形態２に係る伸びる部分を持ったボーンの機能を示す説明図である。
【図９】図９はこの発明の実施の形態１に係る伸びる部分を持ったボーンを適用したブラジャーを示す要部構成図である。
【図１０】図１０はこの発明の実施の形態２に係る伸びる部分を持ったボーンの機能を示す説明図である。
【図１１】図１１はこの発明の実施の形態３に係る伸びる部分を持ったボーンを適用したブラジャーを示す構成図である。
【図１２】図１２はこの発明の実施の形態３に係る伸びる部分を持ったボーンの機能を示す説明図である。
【図１３】図１３はこの発明の実施の形態３に係る伸びる部分を持ったボーンを適用したブラジャーを示す要部構成図である。
【図１４】図１４はこの発明の実施の形態４に係る伸びる部分を持ったボーンを適用したブラジャーを示す構成図である。
【図１５】図１５はこの発明の実施の形態４に係る伸びる部分を持ったボーンを示す構成図である。
【図１６】図１６はこの発明の実施の形態４に係る伸びる部分を持ったボーンの機能を示す説明図である。
【図１７】図１７はこの発明の実施の形態４に係る伸びる部分を持ったボーンを示す構成図である。
【図１８】図１８はこの発明の実施の形態４に係る伸びる部分を持ったボーンを適用したブラジャーを示す構成図である。
【図１９】図１９はこの発明の実施の形態６に係る伸びる部分を持ったボーンを適用したファンデーションを示す構成図である。
【図２０】図２０はこの発明の実施の形態６に係る伸びる部分を持ったボーンを適用したファンデーションを示す構成図である。
【図２１】図２１はこの発明の他の実施の形態に係る伸びる部分を持ったボーンを適用したファンデーションを示す構成図である。
【図２２】図２２はこの発明の他の実施の形態に係る伸びる部分を持ったボーンを適用したファンデーションを示す構成図である。
【図２３】図２３はこの発明の実施の形態６に係る伸びる部分を持ったボーンを適用したファンデーションを示す構成図である。
【符号の説明】
【００７３】
１０：伸びる部分を持ったボーン、１１：ボーン本体、１２：被覆部材。
【図１】
2005089879.tif 000003
【図２】
2005089879.tif 000004
【図３】
2005089879.tif 000005
【図４】
2005089879.tif 000006
【図５】
2005089879.tif 000007
【図６】
2005089879.tif 000008
【図７】
2005089879.tif 000009
【図８】
2005089879.tif 000010
【図９】
2005089879.tif 000011
【図１０】
2005089879.tif 000012
【図１１】
2005089879.tif 000013
【図１２】
2005089879.tif 000014
【図１３】
2005089879.tif 000015
【図１４】
2005089879.tif 000016
【図１５】
2005089879.tif 000017
【図１６】
2005089879.tif 000018
【図１７】
2005089879.tif 000019
【図１８】
2005089879.tif 000020
【図１９】
2005089879.tif 000021
【図２０】
2005089879.tif 000022
【図２１】
2005089879.tif 000023
【図２２】
2005089879.tif 000024
【図２３】
2005089879.tif 000025